(57)【特許請求の範囲】
【請求項１】
回路素子と、該回路素子に接続される回路基板と、該回路基板に接続される接続端子と、を有する電装品であって、
前記接続端子には、本体部と、
前記本体部に設けられた前記回路基板に近付く方向と離れる方向との双方向に弾性変形自在に形成されたばね部材と、
前記ばね部材を互いの間に位置付けるように前記本体部から立設した一対のアーム部と、が設けられ、
前記一対のアーム部が前記回路基板を通されて、各アーム部の前記本体部から離れた端部が前記ばね部材に向かって曲げられて、前記端部と前記ばね部材との間に前記回路基板を挟んでいるとともに、
前記回路基板と前記回路素子との間には、絶縁性のプレートが備えられ、
前記プレートには、前記接続端子と対向する位置に、前記プレートの前記回路基板に重ねられる表面から凹に形成された凹部が設けられ、
前記凹部の内周面には、前記一対のアーム部の前記端部それぞれが当接する位置に、前記表面から離れるにしたがって前記一対のアーム部が互いに近付く方向に傾斜する一対の傾斜部、または、前記表面から離れるにしたがって前記一対のアーム部が互いに近付く方向に形成された一対の曲部が設けられていることを特徴する電装品。
【発明の詳細な説明】
【技術分野】
【０００１】
本発明は、例えば、移動体としての自動車に搭載されるＣＣＤカメラユニット等の電装品に関する。
【背景技術】
【０００２】
移動体としての自動車には、例えば、ＣＣＤカメラユニット１０１等の電装品が搭載されている。上記ＣＣＤカメラユニット１０１は、図１２に示すように、開口を有する箱状に形成された第１ケース１０２と、前記第１ケース１０２に取り（組み）付けられた回路基板１０４と、前記回路基板１０４に搭載されたカメラレンズ素子１０６と、前記回路基板１０４の前記カメラレンズ素子１０６と反対側の面に取り付けられたバネ部材１０３と、前記第１ケース１０２の開口を覆うように組み付けられる第２ケース１０５と、前記第２ケース１０５に取り付けられた、前記バネ部材１０３と電気的に接続する接続端子１０７と、を備えている（例えば、特許文献１を参照。）。
【０００３】
上記バネ部材１０３は、図１３に示すように、前記第１ケース１０２と、前記第２ケース１０５とが組み付けられる互いに近付く方向と互いに離れる方向との双方向（矢印Ｚ方向）に弾性変形自在に形成されている。また、上記接続端子１０７は、前記第１ケース１０２に向かって延びていて、前記第１ケース１０２と、前記第２ケース１０５とが互いに組み付けられると、前記バネ部材１０３は、前記接続端子１０７に弾性的に接触することで、これら接続端子１０７とバネ部材１０３とは電気的に接続している。
【先行技術文献】
【特許文献】
【０００４】
【特許文献１】特開２００９−９９４１１号公報
【発明の概要】
【発明が解決しようとする課題】
【０００５】
しかしながら、前述した従来のＣＣＤカメラユニット１０１には、以下に示す問題があった。即ち、従来のＣＣＤカメラユニット１０１は、第１ケース１０２と回路基板１０４との組付け誤差や、第１ケース１０２と第２ケース１０５との組付け誤差の影響により生じる僅かな歪みや傾きによって、予め定められたバネ部材１０３と接続端子１０７との接点から位置ずれを生じた場合であっても、この位置ずれを、バネ部材１０３が弾性変位（即ち、弾性変形）することで吸収するために、バネ部材１０３が弾性変形するための空間を確保する必要があり、このために、従来のＣＣＤカメラユニット１０１はバネ部材１０３の弾性変形する方向（矢印Ｚ方向）に大型化する傾向にあった。
【０００６】
また、例えば、前述した自動車の走行中の振動などにより、バネ部材１０３が弾性変位（即ち、弾性変形）することで吸収することができないほど、バネ部材１０３と接続端子１０７とが位置ずれを生じた場合には、バネ部材１０３の弾性変位量が変動し、安定した接触荷重を維持することができないので、これらバネ部材１０３と接続端子１０７との電気的な接続が絶たれてしまうことがあり、これらバネ部材１０３と接続端子１０７との接続状態を良好に保つことが困難であった。
【０００７】
そこで、本発明は、上記のような問題点に着目し、回路基板と該回路基板に接続される接続端子との接続状態を良好に保つとともに、小型化を図った電装品を提供することを目的とする。
【課題を解決するための手段】
【０００８】
請求項１に記載の本発明は、回路素子と、該回路素子に接続される回路基板と、該回路基板に接続される接続端子と、を有する電装品であって、前記接続端子には、本体部と、前記本体部に設けられた前記回路基板に近付く方向と離れる方向との双方向に弾性変形自在に形成されたばね部材と、前記ばね部材を互いの間に位置付けるように前記本体部から立設した一対のアーム部と、が設けられ、前記一対のアーム部が前記回路基板を通されて、各アーム部の前記本体部から離れた端部が前記ばね部材に向かって曲げられて、前記端部と前記ばね部材との間に前記回路基板を挟んでいるとともに、前記回路基板と前記回路素子との間には、絶縁性のプレートが備えられ、前記プレートには、前記接続端子と対向する位置に、前記プレートの前記回路基板に重ねられる表面から凹に形成された凹部が設けられ、前記凹部の内周面には、前記一対のアーム部の前記端部それぞれが当接する位置に、前記表面から離れるにしたがって前記一対のアーム部が互いに近付く方向に傾斜する一対の傾斜部、または、前記表面から離れるにしたがって前記一対のアーム部が互いに近付く方向に形成された一対の曲部が設けられていることを特徴としている。
【発明の効果】
【００１０】
請求項１記載の本発明によれば、回路素子と、該回路素子に接続される回路基板と、該回路基板に接続される接続端子と、を有する電装品であって、前記接続端子には、本体部と、前記本体部に設けられた前記回路基板に近付く方向と離れる方向との双方向に弾性変形自在に形成されたばね部材と、前記ばね部材を互いの間に位置付けるように前記本体部から立設した一対のアーム部と、が設けられ、前記一対のアーム部が前記回路基板を通されて、各アーム部の前記本体部から離れた端部が前記ばね部材に向かって曲げられて、前記端部と前記ばね部材との間に前記回路基板を挟んでいるので、前記接続端子は、前記回路基板が、該接続端子に近付く方向と離れる方向との前記双方向と、前記一対のアームが互いに相対する方向と、に移動されることを規制するように該回路基板を固定することとなり、よって、前述した自動車が走行中に振動した際においても、前記ばね部材が、安定した接触荷重を維持することとなり、よって、回路基板と該回路基板に接続される接続端子との接続状態を良好に保った電装品を提供することができる。
【００１１】
また、前記一対のアーム部の前記端部がばね部材に向かって曲げられて前記端部と前記ばね部材との間に前記回路基板を挟んでいるので、前記接続端子によって、前記回路基板が、前記接続端子から離れる方向に移動されることを規制するように該回路基板を固定されることとなり、よって、前記ばね部材の弾性変位量は、従来のバネ部材に比べて小さくすることができるので、前記電装品の低背化（即ち、小型化）を図ることができる。
【００１２】
また、前記回路基板と前記回路素子との間には、絶縁性のプレートが備えられ、前記プレートには、前記接続端子と対向する位置に、前記プレートの前記回路基板に重ねられる表面から凹に形成された凹部が設けられ、前記凹部の内周面には、前記一対のアーム部の前記端部それぞれが当接する位置に、前記表面から離れるにしたがって前記一対のアーム部が互いに近付く方向に傾斜する一対の傾斜部、または、前記表面から離れるにしたがって前記一対のアーム部が互いに近付く方向に形成された一対の曲部が設けられているので、前記一対のアーム部の前記端部同士が、傾斜部または曲部に沿ってガイドされて、前記ばね部材に向かって曲げられることとなり、傾斜部または曲部が設けられていることで、前記接続端子を前記プレートに押し付ける容易な作業で、前記回路基板と前記接続端子とを接続することができる。
【図面の簡単な説明】
【００１３】
【図１】本発明の一実施の形態に係るＣＣＤカメラユニットの斜視図である。
【図２】図１に示されたＣＣＤカメラユニットを分解して示す分解斜視図である。
【図３】図１に示されたＣＣＤカメラユニットを構成する接続端子を示す斜視図である。
【図４】図１に示されたＣＣＤカメラユニットの組立作業を説明するための説明図であり、回路基板に接続端子が取り付けられる様子を示す図である。
【図５】図１に示されたＣＣＤカメラユニットの組立作業を説明するための説明図であり、接続端子が回路基板を通される様子を示す断面図である。
【図６】図５に示された要部を拡大して示す要部拡大図である。
【図７】図１に示されたＣＣＤカメラユニットの組立作業を説明するための説明図であり、接続端子のアーム部が回路基板を通されて、プレートの傾斜部に当接した状態を示す断面図である。
【図８】図７に示された要部を拡大して示す要部拡大図である。
【図９】図１に示されたＩ−Ｉ線に沿う断面図である。
【図１０】図９に示された要部を拡大して示す要部拡大図である。
【図１１】図１に示されたＣＣＤカメラユニットの変形例を示す要部拡大図である。
【図１２】従来のＣＣＤカメラユニットの斜視図である。
【図１３】図１２に示された要部を拡大して示す要部拡大図である。
【発明を実施するための形態】
【００１４】
本発明の一実施の形態にかかる電装品としてのＣＣＤカメラユニット１を、図１乃至図１０を参照して説明する。
【００１５】
図１、図２などに示すＣＣＤカメラユニット１は、開口を有する箱状に形成されたカメラケース２と、前記開口を覆うように前記カメラケース２に組み付けられる接続コネクタ３と、前記カメラケース２に収容される回路素子としてのカメラレンズ素子４と、該カメラレンズ素子４に接続される回路基板５と、前記接続コネクタ３に通されて前記回路基板５に接続される複数の接続端子６と、回路基板５とカメラレンズ素子４との間に設けられた絶縁性のプレート７と、マットシール８と、接続コネクタ３に取り付けられるリアホルダ９と、を備えている。また、複数の接続端子６それぞれは、電線１０に接続されており、複数の電線１０が、カメラレンズ素子４に電源からの電力を供給したり、該カメラレンズ素子４に制御信号を伝送したり、該カメラレンズ素子４からの制御信号を伝送する。
【００１６】
また、図１などに示された矢印Ｚは、後述する接続端子６のばね部材６６が弾性変形する方向、及び、接続端子６が回路基板５に近付く方向、及び、カメラケース２と接続コネクタ３とが組み付けられる方向を示しており、矢印Ｙは、後述する接続端子６の一対のアーム部６７が互いに相対する方向（即ち、一対のアーム部６７が互いに近付く方向）示しており、矢印Ｘは、矢印Ｚと矢印Ｙとの双方向に対して交差（直交）する方向を示している。
【００１７】
上記接続コネクタ３は、絶縁性の合成樹脂からなる。また、接続コネクタ３は、矩形状のコネクタ本体部３１と、コネクタ本体部３１の前記カメラケース２側の端部に設けられ、前記端部からフランジ状に延在し、前記カメラケース２の開口を覆うフランジ部３２と、を備えている。
【００１８】
上記コネクタ本体部３１には、図５などに示すように、接続端子６と前記接続端子６が取り付けられた電線１０とを通す複数の通し孔３３と、マットシール８が圧入されるマットシール圧入部３４と、リアホルダ９に係止する係止部３５と、が設けられている。前記複数の通し孔３３は、コネクタ本体部３１のカメラケース２側に設けられ、前記マットシール圧入部３４は、前記複数の通し孔３３と連通し、コネクタ本体部３１のカメラケース２から離れた側に設けられている。
【００１９】
上記複数の通し孔３３は、図示例では、矢印Ｘに沿って３つ設けられ、かつ、矢印Ｙに沿って２つ設けられている。また、複数の通し孔３３同士は、互いに間隔をあけて設けられている。また、各通し孔３３は、コネクタ本体部３１（即ち、接続コネクタ３）を矢印Ｚ方向に貫通している。また、各通し孔３３は、電線１０を収容する第１の通し孔３３ａと、前記第１の通し孔３３ａと連通し、前記電線１０の後述する接続端子６の電線接続部６１が取り付けられた部分を収容する第２の通し孔３３ｂと、前記第２の通し孔３３ｂと連通し、前記電線１０の後述する接続端子６の電気接触部６２が取り付けられた部分を収容する第３の通し孔３３ｃと、を設けている。また、第３の通し孔３３ｃは、前記第３の通し孔３３ｃの内径が、第２の通し孔３３ｂ、第１の通し孔３３ａよりも大きく形成されており、第２の通し孔３３ｂは、前記第２の通し孔３３ｂの内径が、第１の通し孔３３ａよりも大きく形成されている。また、第３の通し孔３３ｃは、接続コネクタ３のカメラケース２側の端部に設けられ、第２の通し孔３３ｂは、第３の通し孔３３ｃよりもカメラケース２から離れた側に設けられ、第１の通し孔３３ａは、第２の通し孔３３ｂよりもカメラケース２から離れた側に設けられている。
【００２０】
上記マットシール圧入部３４は、前記コネクタ本体部３１の矢印Ｚ方向のカメラケース２から離れた側の端部から凹に形成されている。
【００２１】
上記係止部３５は、コネクタ本体部３１の矢印Ｚ方向のカメラケース２から離れた端部に一対設けられている。一対の係止部３５は、コネクタ本体部３１の表面から矢印Ｙ方向の互いに離れる方向に凸に形成されている。
【００２２】
上記回路基板５には、前記カメラレンズ素子４が接続されている。また、回路基板５には、前記カメラレンズ素子４と、接続端子６とを予め定められたパターンに接続する配線パターンが形成されている。回路基板５は、該回路基板５の配線パターンと、前記カメラレンズ素子４とが、電線、または、ＦＰＣを介して接続されている。また、回路基板５は、カメラレンズ素子４よりも接続コネクタ３側に設けられている。また、回路基板５には、図４などに示すように、後述する各接続端子６の一対のアーム部６７それぞれを通す複数対の貫通孔５１と、前記配線パターンの一部である、各一対の貫通孔５１間に形成された基板接点５２と、が設けられている。また、回路基板５は、前記配線パターン（即ち、基板接点５２）が形成された表面５ａが、接続コネクタ３側に向かうように配置されて、前記カメラケース２に取り付けられている。また、回路基板５は、カメラケース２に取り付けられると、前記カメラケース２の矢印Ｚ方向の接続コネクタ３側の端部よりも僅かに奥側（接続コネクタ３から離れた側）に位置付けられており、該回路基板５の各一対の貫通孔５１は、後述する接続端子６の一対のアーム部６７と、矢印Ｚに沿って対向する位置に設けられている。
【００２３】
上記複数対の貫通孔５１は、接続コネクタ３の各通し孔３３と連通する位置に設けられている。また、各一対の貫通孔５１同士は、矢印Ｙに沿って、互いに間隔をあけて設けられている。また、各貫通孔５１は、前記回路基板５を矢印Ｚ方向に貫通している。
【００２４】
上記基板接点５２には、後述する接続端子６のばね部材６６が弾性的に接触する。また、基板接点５２に接続端子６のばね部材６６が弾性的に接触することで、回路基板５と接続端子６とが接続する。
【００２５】
上記接続端子６は、導電性の板金に打ち抜き加工や曲げ加工が施されて得られたものである。接続端子６は、図３などに示すように、電線接続部６１と、該電線接続部６１に連なる電気接触部６２と、を一体に備えている。
【００２６】
上記電線接続部６１は、平板状の矩形状に形成された底板６３と、該底板６３の幅方向（矢印Ｙ）の両縁部から立設する一対の芯線かしめ片６４と、を一体に備えている。また、電線接続部６１の長手方向（矢印Ｚ）と、該電線接続部６１に接続される電線１０の長手方向とは、互いに平行に設けられている。
【００２７】
上記一対の芯線かしめ片６４は、底板６３から離れた側の縁が該底板６３に近付くように曲げられていている。そして、一対の芯線かしめ片６４は、電線１０の被覆部が皮剥ぎされて露出した状態の芯線を底板６３との間に挟んで、該芯線をかしめることで、芯線かしめ片６４と、電線１０の芯線と、を電気的に接続している。
【００２８】
上記電気接触部６２は、前記底板６３に連なる本体部６５と、前記本体部６５に設けられた前記回路基板５に近付く方向と離れる方向との双方向（矢印Ｚ）に弾性変形自在に形成されたばね部材６６と、前記ばね部材６６を互いの間に位置付けるように前記本体部６５から矢印Ｚ方向に棒状に立設した一対のアーム部６７と、を備えている。
【００２９】
上記ばね部材６６には、該ばね部材６６が矢印Ｚ方向に弾性変形するための空間が設けられている。上記空間は、ばね部材６６の中央部に設けられている。また、空間は、前述したように、接続端子６が、導電性の板金に打ち抜き加工が施されて得られたものである。
【００３０】
上記一対のアーム部６７は、前記回路基板５の貫通孔５１を通されて、一対のアーム部６７の前記本体部６５から離れた端部６７ａそれぞれが、前記回路基板５を挟み込むように前記ばね部材６６に向かって曲げられる（図１０に示す）。また、一対のアーム部６７の端部６７ａが前記回路基板５を挟み込むように前記ばね部材６６に向かって曲げられると、前記回路基板５の基板接点５２と、前記ばね部材６６とは、弾性的に接続される。
【００３１】
上記プレート７には、図４などに示すように、該プレート７の前記回路基板５に重ねられる表面７ａから凹に形成された複数の凹部７１が設けられている。各凹部７１は、各一対の貫通孔５１と連通する位置に設けられている。即ち、各凹部７１は、前記接続端子６と矢印Ｚに沿って対向する位置に設けられている。また、各凹部７１の内周面には、前記一対のアーム部６７の前記端部６７ａそれぞれが当接する位置に、プレート７の前記表面７ａから離れるにしたがって前記一対のアーム部６７が互いに近付く方向に傾斜する一対の傾斜部７１ａが形成されている。また、プレート７の前記表面７ａと反対側の表面７ｂには、前記カメラレンズ素子４が取り付けられている。
【００３２】
上記マットシール８は、例えばゴムなど、可撓性を有する合成樹脂からなり、矩形状に形成されている。また、マットシール８には、図５などに示すように、接続端子６が取り付けられた電線１０を通す電線通し孔８１と、複数の凸部８２と、が設けられている。また、マットシール８は、接続コネクタ３の内側に水などの液体が浸入することを防止する。
【００３３】
上記電線通し孔８１は、複数設けられている。また、各電線通し孔８１は、前記接続コネクタ３の通し孔３３と連通する位置に設けられており、マットシール８を矢印Ｚ方向に貫通している。この電線通し孔８１に、接続端子６が取り付けられた電線１０が圧入されることで、該接続端子６及び該接続端子６が取り付けられた電線１０は、マットシール８に取り付けられている。
【００３４】
上記複数の凸部８２は、前記マットシール８の矢印Ｙ方向の外表面から互いに離れる方向に凸に形成されている。さらに、複数の凸部８２は、前記電線通し孔８１の内表面にも設けられており、該内表面から矢印Ｙ方向の互いに近付く方向に凸に形成されている。
【００３５】
上記リアホルダ９は、前記接続コネクタ３に圧入されたマットシール８に重ねられる板状のカバー部９１と、カバー部９１の縁から矢印Ｚ方向のマットシール８に向かって立設する複数の側壁部９２ａ、９２ｂ、９２ｃと、を備えて、有底筒状に形成されている。
【００３６】
上記カバー部９１には、接続端子６が取り付けられた電線１０を通す孔部９４が設けられている。上記孔部９４は、複数設けられている。複数の孔部９４は、前記マットシール８の電線通し孔８１と連通する位置に設けられている。また、各孔部９４は、カバー部９１を矢印Ｚ方向に貫通している。また、孔部９４の内表面には、該内表面から凸に形成された凸部９１ａが形成されている。
【００３７】
上記複数の側壁部９２ａ、９２ｂ、９２ｃとのうち、矢印Ｙ方向に対向する一対の側壁部９２ａ、９２ｂそれぞれには、接続コネクタ３の係止部３５に係止する係止受け部９３が設けられている。
【００３８】
上記係止受け部９３には、図２、図５などに示すように、一対のスリット９３ａと、一対のスリット９３ａ間に設けられた係止孔部９３ｂと、が設けられている。上記一対のスリット９３ａは、矢印Ｘに沿って互いに間隔をあけて設けられている。また、各スリット９３ａは、側壁部９２ａ、９２ｂの矢印Ｚ方向のカバー部９１から離れた側の端部から該カバー部９１に向かって直線状に切り欠かれている。上記係止孔部９３ｂは、各側壁部９２ａ、９２ｂを貫通した孔である。係止受け部９３は、一対のスリット９３ａが形成されていることで、矢印Ｙ方向の互いに離れる方向に弾性変形可能に形成されている。
【００３９】
上述したＣＣＤカメラユニット１は、以下のように、組み立てられる。まず、電線１０の端末を、リアホルダ９の孔部９４、マットシール８の電線通し孔８１、及び、接続コネクタ３の通し孔３３ａ、３３ｂ、３３ｃの順番に通し、フランジ部３２から突出した前記電線１０の端末において、該電線１０の被覆部が皮剥ぎされて露出した状態の芯線を、接続端子６の電線接続部６１の底板６３に載置して、芯線かしめ片６４を、底板６３に近付けるようにかしめて、電線１０に接続端子６を取り付ける。そして、接続端子６が取り付けられた電線１０を、矢印Ｚ方向のカメラケース２から離れる方向に引っ張り、接続端子６の電気接触部６２を第３の通し孔３３ｃに収容した後、電線１０を、矢印Ｚ方向のカメラケース２から離れる方向に引っ張りながら、マットシール８のみをカメラケース２に近付けて、該マットシール８をマットシール圧入部３４に圧入した後、リアホルダ９をカメラケース２に近付ける。すると、図５、図６に示すように、接続コネクタ３の係止部３５がリアホルダ９の係止受け部９３に係止する。こうして、リアホルダ９が接続コネクタ３に取り付けられる。このように、リアホルダ９が、接続コネクタ３に取り付けられることで、接続端子６及び該接続端子６が取り付けられた電線１０は、マットシール８を介して、接続コネクタ３に取り付けられる。この際、接続コネクタ３からは、接続端子６のばね部材６６及び一対のアーム部６７が矢印Ｚに沿って突出している。
【００４０】
次に、プレート７の表面７ｂにカメラレンズ素子４を取り付けた後、プレート７の表面７ａに、プレート７の凹部７１と、回路基板５の貫通孔５１とが連通するように該回路基板５を重ねて、プレート７に回路基板５を取り付ける。そして、カメラレンズ素子４と、回路基板５とを、電線、または、ＦＰＣを介して接続する。この際、カメラレンズ素子４と、回路基板５とを、電線、または、ＦＰＣの一端部と、カメラレンズ素子とを半田付けすることで接続し、電線、または、ＦＰＣの他端部と、回路基板５の配線パターンと、を半田付けすることで接続する。こうして、カメラレンズ素子４と、回路基板５と、を電気的に接続する。そして、プレート７を介してカメラレンズ素子４が取り付けられた回路基板５をカメラケース２に取り付ける。この際、回路基板５は、配線パターンが形成された表面５ａが接続コネクタ３側に向けられており、回路基板５の貫通孔５１は、接続コネクタ３に取り付けられた各一対のアーム部６７と対向するように設けられている。
【００４１】
次に、図７、図８に示すように、カメラケース２の開口を覆うように、該カメラケース２と接続コネクタ３とを近付ける。カメラケース２と接続コネクタ３とを徐々に近付けるにしたがって、複数の接続端子６の各一対のアーム部６７が貫通孔５１を通されて、各一対のアーム部６７の端部６７ａが、プレート７の凹部７１の傾斜部７１ａに突き当たる。さらに、図９、図１０に示すように、カメラケース２と接続コネクタ３とを近付けるにしたがって、傾斜部７１ａに沿って一対のアーム部６７の端部６７ａがばね部材６６に向かって曲げられて、該一対のアーム部６７の端部６７ａと、ばね部材６６との間に、回路基板５が挟み込まれる。こうして、一対のアーム部６７によって、回路基板５が挟み込まれることで、接続端子６と回路基板５とが互いに固定される。この際、ばね部材６６が、回路基板５の基板接点５２に弾性的に接触することとなり、接続端子６と回路基板５とは、電気的に接続するとともに、カメラケース２は接続コネクタ３に組み付けられる。こうして、ＣＣＤカメラユニット１は、組み立てられる。
【００４２】
上述した実施形態によれば、回路素子としてのカメラレンズ素子４と、該カメラレンズ素子４に接続される回路基板５と、該回路基板５に接続される接続端子６と、を有する電装品としてのＣＣＤカメラユニット１であって、前記接続端子６には、本体部６５と、前記本体部６５に設けられた前記回路基板５に近付く方向と離れる方向との双方向（矢印Ｚ方向）に弾性変形自在に形成されたばね部材６６と、前記ばね部材６６を互いの間に位置付けるように前記本体部６５から立設した一対のアーム部６７と、が設けられ、前記一対のアーム部６７が前記回路基板５を通されて、各アーム部６７の前記本体部６５から離れた端部６７ａが前記ばね部材６６に向かって曲げられて、前記端部６７ａと前記ばね部材６６との間に前記回路基板５を挟んでいるので、前記接続端子６は、前記回路基板５が、該接続端子６に近付く方向と離れる方向との前記双方向（矢印Ｚ）と、前記一対のアーム部６７が互いに相対する方向（矢印Ｙ）と、に移動されることを規制するように該回路基板５を固定することとなり、よって、前述した自動車が走行中に振動した際においても、前記ばね部材６６が、安定した接触荷重を維持することとなり、よって、回路基板５と該回路基板５に接続される接続端子６との接続状態を良好に保ったＣＣＤカメラユニット１を提供することができる。
【００４３】
また、前記一対のアーム部６７の前記端部６７ａがばね部材６６に向かって曲げられて前記端部６７ａと前記ばね部材６６との間に前記回路基板５を挟んでいるので、前記接続端子６によって、前記回路基板５が、前記接続端子６から離れる方向（矢印Ｚ）に移動されることを規制するように該回路基板５を固定されることとなり、よって、前記ばね部材６６の弾性変位量は、従来のばね部材６６に比べて小さくすることができるので、前記ＣＣＤカメラユニット１の低背化（即ち、小型化）を図ることができる。
【００４４】
また、前記回路基板５と前記カメラレンズ素子４との間には、絶縁性のプレート７が備えられ、前記プレート７には、前記接続端子６と対向する位置に、前記プレート７の前記回路基板５に重ねられる表面７ａから凹に形成された凹部７１が設けられ、前記凹部７１の内周面には、前記一対のアーム部６７の前記端部６７ａそれぞれが当接する位置に、前記表面７ａから離れるにしたがって前記一対のアーム部６７が互いに近付く方向（矢印Ｙ）に傾斜する一対の傾斜部７１ａが設けられているので、前記一対のアーム部６７の前記端部６７ａ同士が、傾斜部７１ａに沿ってガイドされて、前記ばね部材６６に向かって曲げられることとなり、傾斜部７１ａが設けられていることで、前記接続端子６を前記プレート７に押し付ける容易な作業で、前記回路基板５と前記接続端子６とを接続することができる。
【００４５】
なお、上述した実施形態によれば、プレート７の凹部７１には、傾斜部７１ａが設けられているが、本発明はこれに限ったものではなく、図１１に示すＣＣＤカメラユニット１Ａのように、前記表面７ａから離れるにしたがって前記一対のアーム部６７が互いに近付く曲面に形成された一対の曲部１７１ａが設けられていてもよい。また、図１１において、前述した実施形態と同一部分には、同一符号を付して説明を省略する。上述したＣＣＤカメラユニット１Ａによれば、前記一対のアーム部６７の前記端部６７ａ同士が、曲部１７１ａに沿ってガイドされて、前記ばね部材６６に向かって曲げられることとなり、曲部１７１ａが設けられていることで、前記接続端子６を前記プレート７に押し付ける容易な作業で、前記回路基板５と前記接続端子６とを接続することができる。
【００４６】
また、上述した実施形態によれば、回路素子としてカメラレンズ素子４が用いられているが、本発明はこれに限ったものではなく、回路基板５に接続されるマイクロコンピュータなどの種々の回路素子または、回路部品であればよい。
【００４７】
また、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００４８】
１、１Ａ  ＣＣＤカメラユニット（電装品）
４  カメラレンズ素子（回路素子）
５  回路基板
６  接続端子
７  プレート
６５  本体部
６６  ばね部材
６７  アーム部
６７ａ  端部
７ａ  表面
７１  凹部
７１ａ  傾斜部
１７１ａ  曲部
矢印Ｚ  双方向
矢印Ｙ  一対のアーム部が互いに近付く方向
【図１】
0005543831.tif 000002
【図２】
0005543831.tif 000003
【図３】
0005543831.tif 000004
【図４】
0005543831.tif 000005
【図５】
0005543831.tif 000006
【図６】
0005543831.tif 000007
【図７】
0005543831.tif 000008
【図８】
0005543831.tif 000009
【図９】
0005543831.tif 000010
【図１０】
0005543831.tif 000011
【図１１】
0005543831.tif 000012
【図１２】
0005543831.tif 000013
【図１３】
0005543831.tif 000014